(57)【要約】【課題】内部の菌類、菌床、有機残渣を効率よく攪拌混合し、空気との接触容積を増やし菌類の繁殖を増やし、有機残渣の分解効率、スピードを高めた有機残渣収集槽の提供。【解決手段】  容器１の形体を球体、或いは楕円の長軸、又は短軸を３６０度回転させて出来るような変形球体（卵型等）とし、その内面に沿って攪拌羽根３の端部が動くように攪拌羽根３を回転させる。  また複数の板状の攪拌羽根３にいくつもの穴が空ける事により、攪拌羽根が回転時その穴から菌類９、菌床１０、有機残渣１１を漏れさせ、きめ細かい混合攪拌をさせると同時に、攪拌羽根３の回転動力を軽減させる。  また攪拌羽根３の回転軸６を地面に対し傾斜にさせる事により重力により回転軸６に沿った方向への内容物の滑り落下流れを作り、上記の攪拌との相乗効果が出る攪拌を可能とする。【選択図】  図１
2005313136.tif 000002
【特許請求の範囲】
【請求項１】
菌類、菌床、及び有機残渣（又は生ゴミ）を収容する容器が球形、又は楕円の長軸、或いは短軸を中心に３６０度回転して出来るような変形の球形（卵型等）で、羽根の端が容器の内面に沿って回転する様な位置、形で攪拌羽根、及びそれを回転させる回転軸が取り付けられた有機残渣収集槽（又は生ゴミ処理機）。
【請求項２】
直径が２５ｍｍ〜２００ｍｍ丸穴相当面積の複数個の穴を有す複数の板状の攪拌羽根で菌類、菌床、及び有機残渣（又は生ゴミ）を攪拌する有機残渣収集槽（又は生ゴミ処理機）。
【請求項３】
攪拌羽根の回転軸が地面に対し仰角２０度から７０度の範囲内で傾斜して取り付けられた請求項１記載の有機残渣収集槽（又は生ゴミ処理機）。
【請求項４】
攪拌羽根の回転軸が地面に対し仰角２０度から７０度の範囲内で傾斜して取り付けられた請求項２記載の有機残渣収集槽（又は生ゴミ処理機）。
【発明の詳細な説明】
【技術分野】
【０００１】  本発明は有機残渣収集槽（又は生ゴミ処理機）の構造、形体、構成、及び内容物（菌類、菌床、有機残渣や生ゴミ）が攪拌される構造、及び内容物の攪拌、混合の動きに関する。
【背景技術】
【０００２】  以下、図２、図３により従来の有機残渣収集槽、或いは生ゴミ処理機に付いて説明する。図２に示す如く、菌類９、菌床１０を収納する容器１は円筒形（箱型、又は底部のみを半円筒形のもの）に形成し、容器内に水平（又は垂直）に置かれた回転軸６に接続された攪拌羽根３を収容する。有機残渣（または生ゴミ）１１を容器１に具備する開閉口２から投入し回転軸６をモーター４で回転させて容器１内の内容物である有機残渣１１、菌類９、菌床１０を回転軸６に接続された攪拌羽根３で攪拌し、空気とも接触させ菌類９の繁殖により有機残渣１１を分解、減量させる。
容器１内の内容物である菌類９、菌床１０、及び有機残渣１１を万遍なく攪拌、混合させ、空気とも多く接触させる事が菌類を良く繁殖させ、有機残渣収集槽の目的である有機残渣１１の分解、減量させる重要ポイントである。
しかるに従来の方式に於いては攪拌羽根３の回転軌跡の範囲で内容物、及び空気は混合、攪拌されるが羽根の周動軌跡から外れる範囲で内容物が澱んでしまい、充分攪拌できない部分があった。
また、それぞれの羽根の回転軌跡範囲でのみの攪拌にかぎられ、場所により菌類９、菌床１０、及び有機物残渣１１の混合比が異なり、繁殖効率が悪い等の欠点も有った。
図３に示すように、従来、羽根をスクリュウ式にして内容物を全体として回転軸方向に移動させて攪拌する方式も有ったが、この方式では図２の方式に比べ回転方向の上の方へ内容物を掻き揚げ落下させ、空気と接触させる機能が低下し、菌類の繁殖が充分でなかった。
いずれの方式においても、さらに有機残渣の分解が効率よく、問題の無い方式の開発が望まれていた。
【発明の開示】
請求項１にある如く、菌類、菌床、及び有機残渣を収容する容器がほぼ球形、又は楕円の長軸、或いは短軸を中心に３６０度回転して出来るような変形の球形（卵型等）で、羽根の端が容器の内面に沿って回転する様な位置、形で攪拌羽根、及びそれを回転させる回転軸が取り付けられた有機残渣収集槽が本発明である。
また、請求項２にある如く、菌類、菌床、及び有機残渣を攪拌する板状の攪拌羽根に直径が２５ｍｍ〜２００ｍｍの複数の穴を空ける事により攪拌効率を上げ、菌類、菌床、及び有機残渣と空気の接触を増やし有機残渣の分解効率を上げた有機残渣収集槽がもう１つの発明である。
上記２つの請求項の有機残渣収集槽に対し、攪拌羽根の回転軸、及び容器を地面に対し仰角２０度から７０度の範囲で傾斜させる事により内容物（菌類、菌床、有機残さ）の回転軸に沿った新たな落下流れが出来、請求項１、及び請求項２の発明による攪拌効果との３次元攪拌の相乗効果が起き、更に菌類、菌床、及び有機残渣の攪拌効率がアップし、しかも空気との接触も多くなるものが請求項３及び４記載の有機残渣収集槽の発明である。
【発明が解決しようとする課題】
【０００３】  生ゴミ処理機の性能を著しくアップさせる為には菌類、菌床、有機残渣を万遍なく攪拌する事と、これらと空気との接触を多くし、部分的にも攪拌されなかったり空気と接触がない部分を少なくし、好気性菌の繁殖を活発にする事とその状態を効率よく作る事が基本的課題である。
従来の有機残渣収集槽（または生ゴミ処理機）のように容器が円筒形であったり、底の方が半円筒形であると容器の中で最も低い位置が回転軸に平行な線となり、攪拌毎に内容物が線上に集まろうとするのみで各攪拌羽根の攪拌内容物内の菌類、菌床、有機残渣の含有比が異なっている為、全体では理想的な含有比率で容器内に投入されていても予定通りの効率で菌類の繁殖が出来なかった。又、底が平面になるような形の容器を有す有機残渣収集槽に至っては線でなく面で内容物が分散しそれぞれの攪拌羽根の軌跡の範囲内で攪拌するのが主で、上記と同様全体の内容物を攪拌ごとに混合、攪拌するには困難で、従来課題となっていた。
又、攪拌羽根に付いては羽根面積を広く取らないと攪拌羽根の周動軌跡の範囲が狭く拌が大きい容積で実行できない。しかし羽根面積を広く取ると攪拌動力が大きくなる欠点と羽根の内側に掻き揚げられた内容物はある容積の塊で攪拌されないまま位置を変えるのみの欠点のある攪拌となり、攪拌効率としては十分でなかった。又攪拌羽根の角度を変えると攪拌羽根の回転軌跡以外にも攪拌する効果の改善は見られるものの、内容物の乾燥度、粘性により内容物が羽根に滑って攪拌が十分出来なかったり、または逆に引っかかったりして常に設計通りに攪拌、混合する事が難しく、確実で安定した攪拌の方法が求められていた。
【課題を解決する為の手段】
【０００４】  容器の形状を球形、又は楕円の長軸、或いは短軸を中心に３６０度回転して出来るような変形の球形（卵型等）にすると、有機残渣収集槽の容器内では内容物である菌類、菌床、及び有機残渣は容器の形状から容器内で最も低い位置になる底の１点に集まろうと、上からも横からもななめからも、あらゆる角度から集まって、或いは落ちてくる事により、容器全体の内容物が攪拌混合された状態で集まり、そこを攪拌羽根で掻けば、また容器全体に拡散、攪拌され、これが攪拌毎に繰り返される事となる。容器の形状と重力を利用した攪拌効率の高い攪拌となる。
【０００５】  攪拌羽根に付いては板状の攪拌羽根に直径が２０ｍｍ〜１５０ｍｍ丸穴相当面積の複数個の穴を空ける事により広い面積の攪拌羽根にしても攪拌動力を軽減し、しかも攪拌羽根の内側に掬われた内容物も前述の羽根に空けられた複数の穴から漏れ落ち攪拌混合され効率の良い攪拌羽根となる。
【０００６】  攪拌羽根の回転軸を地面に対し、仰角２０度から７０度の範囲で、傾斜させ取り付けると攪拌羽根により掻き揚げられた内容物が攪拌羽根の回転軌跡以外に攪拌羽根面に沿って滑り落ちる攪拌現象が加わり、回転羽根の回転方向と重力による下方向へ落下する攪拌との相乗効果が出て、捻る等の複雑できめ細かいな攪拌、より多く空気との接触が可能となる。
【発明の効果】
【０００７】  請求項１に係る発明によれば容器の形状のお陰で内容物（菌類、菌床、有機残渣）が攪拌の回転毎に落下、横滑り、回転等の動きが加わり攪拌効率を上げた上、継続或いは間欠回転の次の回転で掻き揚げ易い容器底の１点を中心に全体から集まる為、内容物が容器内全体に菌類、菌床、有機物有機残渣の均一な分布となり澱む所の無い有機残渣収集槽となる。
請求項２に係る発明によれば板状の攪拌羽根に複数の穴を空ける事により掻き揚げられる塊をほぐし攪拌羽根から少しずつ細かくこぼす混合攪拌、及び空気との接触も多く出来、有機残渣の分解が促進される上、攪拌羽根回転動力の軽減もできる。しかも羽根は金属板に穴を空けるという簡易な作業で製作、製造が出来る為、安価となる。
請求項３及び請求項４に係る発明によれば攪拌羽根面上を回転軸方向に内容物が滑り落ちる新しい流れが出来る事により請求項１、及び請求項２の攪拌と相乗効果が起き、攪拌、混合、および空気との接触も頗る増え、有機残渣の分解、減量が促進される。
【発明を実施する為の最良の形態】
、
【実施例】
【０００８】  以下、図１により本発明を実施する為の最良の形態、実施例を説明する。同図において符号１は容器を示す。この容器１の１部に開閉口２が取り付けられており、ここから容器１内の内容物である菌類９、菌床１０、有機残渣１１が投入される。又容器１には換気口８も取り付けられている。容器１の内部には攪拌羽根３の端が容器１の内面に沿って動くように攪拌羽根３が接続された回転軸６が配置され、その回転軸６は容器外まで軸受５を介し貫通し、回転軸６を駆動するモーター４に接続されている。これら全体を支える支持台は７で示す。攪拌羽根３には３ａで示す複数のある範囲に規定された面積の穴が空けられており、回転羽根３が取り付けられている回転軸６は地面に対し仰角２０度から７０度の範囲内で傾いて設置されている。
次に本発明の有機残渣収集槽の動作、機能を追って説明する。前もって容器１内に入れられていた菌類９、及び菌床１０の中に開閉口２から有機残渣１１が投入されモーター４を駆動開始すると、容器１内底部に溜まっていた内容物の菌類９、菌床１０、及び有機残渣１１は攪拌羽根３により掻き揚げられ、掻き揚げられた空間には掻き揚げられなかった内容物１１ａ等が落ちて入って来て、次に攪拌羽根３が通る時には掻き揚げられる事となる。一方掻き揚げられた内容物は羽根の上で固まることなく攪拌羽根上の穴３ａから漏れ落ちたり、攪拌羽根３の回転角度位置に応じて容器１の下の方にこぼれ落ち内容物が混合されたり、空気との接触が促進される事となる。
又回転軸６が２０度から７０度の範囲で傾斜している為、内容物が回転軸６に沿った方向へも滑り落ちる動作が加わり複雑できめ細かい混合、攪拌が起き容器内の空気との接触面、或いは接触容積を増やし有機残渣の分解がすこぶる促進される。
【産業上の利用の可能性】
【０００９】  自明ゆえ説明は省略
【図面の簡単な説明】
【００１０】
【図１】断面図  本発明の有機残渣収集槽の態様を示す断面図である。
【図２】断面図  従来の有機残渣収集槽（または生ゴミ処理機）例１の態様を示す断面図である。
【図３】断面図  従来の有機残渣収集槽（または生ゴミ処理機）例２の態様を示す断面図である。
【符号の説明】
【００１１】１    容器
２    開閉口
３    攪拌羽根
４    モーター
５    軸受
６    回転軸
７    支持台
８    換気口
９    菌類
１０  菌床
１１  有機残渣（又は生ゴミ）
【図１】
2005313136.tif 000003
【図２】
2005313136.tif 000004
【図３】
2005313136.tif 000005